(57)【要約】  波長同調能力に基づいて光ネットワークユニット（ＯＮＵ）通信のための波長割当を送信するように構成されている光回線終端装置（ＯＬＴ）と、ＯＬＴに連結され、波長同調能力をＯＬＴに送信するように構成されているＯＮＵとを備え、波長割当及び波長同調能力が媒体アクセス制御（ＭＡＣ）メッセージで送信される、パッシブ光ネットワーク（ＰＯＮ）において波長管理をサポートするシステムが開示される。更に、ＯＮＵに連結し、ＯＮＵの波長同調性に基づいてＯＮＵとの伝送のための波長割当を交換するように構成されている１台以上のコンポーネントを備え、波長指示及び波長同調性がＭＡＣ層フレームを介して交換される、波長管理をサポートするＯＬＴの装置が開示される。
2014515221.tif 000002
【特許請求の範囲】
【請求項１】
パッシブ光ネットワーク（ＰＯＮ）において波長管理をサポートするシステムであって、
波長同調能力に基づいて光ネットワークユニット（ＯＮＵ）通信のための波長割当を送信するように構成されている光回線終端装置（ＯＬＴ）と、
前記ＯＬＴに連結され、前記波長同調能力を前記ＯＬＴに送信するように構成されているＯＮＵと、
を備え、
前記波長割当及び前記波長同調能力は、媒体アクセス制御（ＭＡＣ）メッセージで送信される、
システム。
【請求項２】
前記波長割当は、前記ＯＮＵの現在の使用波長に基づいて波長を前記ＯＮＵに割当てるために交換される、
請求項１に記載のシステム。
【請求項３】
前記ＯＮＵは、前記波長同調能力を用いて第２の波長同調能力を前記ＯＬＴに送信するように更に構成され、
前記ＯＬＴは、前記第２の波長同調能力に基づいて前記波長割当を用いてＯＮＵ通信のための第２の波長割当を前記ＯＮＵに送信するように更に構成されている、
請求項１に記載のシステム。
【請求項４】
前記波長割当は、前記ＯＮＵの第１の現在の使用波長に基づいて前記ＯＬＴから前記ＯＮＵへのダウンストリーム伝送のための波長を割当てるために交換され、
前記第２の波長割当は、前記ＯＮＵの第２の現在の使用波長に基づいて前記ＯＮＵから前記ＯＬＴへのアップストリーム伝送のための第２の波長を割当てるために交換される、
請求項３に記載のシステム。
【請求項５】
前記波長割当及び前記波長同調能力は、物理層保守運用管理（ＰＬＯＡＭ）メッセージを用いて前記ＯＬＴと前記ＯＮＵとの間で交換される、
請求項１に記載のシステム。
【請求項６】
前記波長割当及び前記波長同調能力は、ＯＮＵ管理制御インターフェース（ＯＭＣＩ）チャネルの複数の管理エンティティ（ＭＥ）属性を用いて交換される、
請求項１に記載のシステム。
【請求項７】
前記ＯＭＣＩチャネルの前記ＭＥ属性は、使用アップストリーム波長、使用ダウンストリーム波長、使用可能なアップストリーム波長、及び使用可能なダウンストリーム波長を指示する、
請求項６に記載のシステム。
【請求項８】
波長管理をサポートする光回線終端装置（ＯＬＴ）の装置であって、
光ネットワークユニット（ＯＮＵ）に連結し、前記ＯＮＵの波長同調性に基づいて前記ＯＮＵとの伝送のための波長割当を交換するように構成されている１台以上のコンポーネントを備え、
波長指示及び前記波長同調性が、媒体アクセス制御（ＭＡＣ）層フレームを用いて交換される、
装置。
【請求項９】
前記波長割当は、前記ＯＮＵからの転送された波長同調性レポートに基づいて波長を前記ＯＮＵに割当てるために、前記ＯＮＵの起動段階中に交換される、
請求項８に記載の装置。
【請求項１０】
前記波長割当及び前記波長同調性は、波長割当のため前記ＯＮＵからの要求に応じて前記ＯＮＵの起動段階中に交換される、
請求項８に記載の装置。
【請求項１１】
前記波長割当及び前記波長同調性は、前記ＯＮＵから波長及び同調性情報を取得するために、前記ＯＬＴからの要求に応じて前記ＯＮＵの運用段階中に交換される、
請求項８に記載の装置。
【請求項１２】
前記波長割当は、前記ＯＮＵのための使用波長を変更するために、前記ＯＮＵの運用段階中に交換される、
請求項８に記載の装置。
【請求項１３】
パッシブ光ネットワーク（ＰＯＮ）のための波長管理をサポートするために光回線終端装置（ＯＬＴ）で実施される方法であって、
受信機を使用して、光ネットワークユニット（ＯＮＵ）から、ＯＮＵ送信機波長、ＯＮＵ受信機波長、ＯＮＵ送信機同調性、及びＯＮＵ受信機同調性を備える波長及び同調性レポートを受信することと、
送信機を使用して、割当てられたＯＮＵ送信機波長及び割当てられたＯＮＵ受信機波長を指示する波長割当コマンドを前記ＯＮＵに送信することと、
を備える、方法。
【請求項１４】
前記波長及び同調性レポートは、前記ＯＮＵ送信機波長、前記ＯＮＵ受信機波長、前記ＯＮＵ送信機同調性、及び前記ＯＮＵ受信機同調性を備える新しい専用保守運用管理（ＰＬＯＡＭ）メッセージで送信される、
請求項１３に記載の方法。
【請求項１５】
前記波長及び同調性レポートは、前記ＯＮＵ送信機波長、前記ＯＮＵ受信機波長、前記ＯＮＵ送信機同調性、及び前記ＯＮＵ受信機同調性を備える修正されたＳｅｒｉａｌ＿Ｎｕｍｂｅｒ＿ＯＮＵ保守運用管理（ＰＬＯＡＭ）メッセージで送信される、
請求項１３に記載の方法。
【請求項１６】
前記波長割当コマンドは、前記割当てられたＯＮＵ送信機波長及び前記割当てられたＯＮＵ受信機波長を備える新しい専用保守運用管理（ＰＬＯＡＭ）メッセージで送信される、
請求項１３に記載の方法。
【請求項１７】
前記波長割当コマンドは、前記割当てられたＯＮＵ送信機波長及び前記割当てられたＯＮＵ受信機波長を備える修正されたＡｓｓｉｇｎ＿ＯＮＵ−ＩＤ保守運用管理（ＰＬＯＡＭ）メッセージで送信される、
請求項１３に記載の方法。
【請求項１８】
前記波長割当コマンドを送信した後、前記ＯＮＵから、保守運用管理（ＰＬＯＡＭ）メッセージで送信された応答を受信することを更に備える、
請求項１３に記載の方法。
【請求項１９】
前記ＰＬＯＡＭメッセージは、前記割当てられたＯＮＵ送信機波長及び前記割当てられたＯＮＵ受信機波長を指示する修正されたＲｅｇｉｓｔｒａｔｉｏｎ  ＰＬＯＡＭメッセージである、
請求項１８に記載の方法。
【請求項２０】
前記ＰＬＯＡＭメッセージは、前記割当てられたＯＮＵ送信機波長及び前記割当てられたＯＮＵ受信機波長を指示する修正されたＡｃｋｎｏｗｌｅｄｇｅ  ＰＬＯＡＭメッセージである、
請求項１８に記載の方法。
【請求項２１】
前記波長及び同調性レポートを受信する前に、保守運用管理（ＰＬＯＡＭ）メッセージで送信された波長要求を前記ＯＮＵに送信することを更に備える、
請求項１３に記載の方法。
【請求項２２】
前記ＰＬＯＡＭメッセージは、波長要求を指示するメッセージタイプ識別子（ＩＤ）を備える新しい専用ＰＬＯＡＭメッセージである、
請求項２１に記載の方法。
【請求項２３】
前記ＰＬＯＡＭメッセージは、波長要求指示を含む修正されたＲｅｑｕｅｓｔ＿Ｒｅｇｉｓｔｒａｉｏｎメッセージである、
請求項２１に記載の方法。
【請求項２４】
第２の割当てられたＯＮＵ送信機波長及び第２の割当てられたＯＮＵ受信機波長を指示する波長変更コマンドを前記ＯＮＵに送信することと、
現在のＯＮＵ送信機波長及び現在のＯＮＵ受信機波長を指示する応答を受信することと、
を更に備える、請求項１３に記載の方法。
【請求項２５】
前記波長変更コマンドは、目標アップストリーム波長及び目標ダウンストリーム波長を指示するＯＮＵ管理制御インターフェース（ＯＭＣＩ）チャネルの複数の管理エンティティ（ＭＥ）属性を用いて送信される、
請求項２４に記載の方法。
【発明の詳細な説明】
【技術分野】
【０００１】
本発明は、通信ネットワーク、より詳しくは、多波長パッシブ光ネットワークにおける波長管理に関する。
【背景技術】
【０００２】
パッシブ光ネットワーク（ｐａｓｓｉｖｅ  ｏｐｔｉｃａｌ  ｎｅｔｗｏｒｋ、ＰＯＮ）は、「ラスト・マイル（ｌａｓｔ  ｍｉｌｅ）」を介してネットワークアクセスを提供する１つのシステムである。ＰＯＮは、電話局にある光回線終端装置（ｏｐｔｉｃａｌ  ｌｉｎｅ  ｔｅｒｍｉｎａｌ、ＯＬＴ）と、光分配ネットワーク（Ｏｐｔｉｃａｌ  ｄｉｓｔｒｉｂｕｔｉｏｎ  ｎｅｔｗｏｒｋ、ＯＤＮ）と、加入者宅内にある複数台の光ネットワークユニット（ｏｐｔｉｃａｌ  ｎｅｔｗｏｒｋ  ｕｎｉｔ、ＯＮＵ）とで構成されているポイント・ツー・マルチポイント・ネットワークである。ギガビットＰＯＮ（Ｇｉｇａｂｉｔ  ＰＯＮ、ＧＰＯＮ）システム等の一部のＰＯＮシステムでは、ダウンストリームデータが毎秒約２．５ギガビット（Ｇｂｐｓ）でブロードキャストされ、アップストリームデータが約１．２５Ｇｂｐｓで伝送される。しかし、ＰＯＮシステムの帯域幅能力は、サービス需要の増大につれて増大することが期待される。増大したサービス需要を満たすために、次世代アクセス（Ｎｅｘｔ  Ｇｅｎｅｒａｔｉｏｎ  Ａｃｃｅｓｓ、ＮＧＡ）システム等のある種の新生のＰＯＮシステムは、より広い帯域幅、例えば、約１０Ｇｂｐｓでの信頼性及び効率が改善された状態でデータフレームを転送するように再構成されている。
【発明の概要】
【０００３】
一実施形態では、本開示は、波長同調能力に基づいてＯＮＵ通信のための波長割当を送信するように構成されているＯＬＴと、ＯＬＴに連結され、波長同調能力をＯＬＴに送信するように構成されているＯＮＵとを備え、波長割当及び波長同調能力が媒体アクセス制御（ｍｅｄｉａ  ａｃｃｅｓｓ  ｃｏｎｔｒｏｌ、ＭＡＣ）メッセージで送信される、ＰＯＮにおける波長管理をサポートするシステムを含む。
【０００４】
別の実施形態では、本開示は、ＯＮＵに連結し、ＯＮＵの波長同調性に基づいてＯＮＵとの伝送のための波長割当を交換するように構成されている１台以上のコンポーネントを備え、波長指示及び波長同調性がＭＡＣ層フレームを介して交換される、波長管理をサポートするＯＬＴの装置を含む。
【０００５】
更に別の実施形態では、本開示は、受信機を使用して、ＯＮＵ送信機波長、ＯＮＵ受信機波長、ＯＮＵ送信機同調性、及びＯＮＵ受信機同調性を備える波長及び同調性レポートをＯＮＵから受信することと、送信機を使用して、割当てられたＯＮＵ送信機波長及び割当てられたＯＮＵ受信機波長を指示する波長割当コマンドをＯＮＵに送信することとを備える、ＰＯＮの波長管理をサポートするためのＯＬＴで実施される方法を含む。
【０００６】
これらの特徴及びその他の特徴は、添付の図面及び請求項と併せて以下の詳細な説明からより明瞭に理解されるであろう。
【図面の簡単な説明】
【０００７】
本開示のより完全な理解のため、次に、添付図面及び詳細な説明と併せて、以下の簡単な説明を参照する。ここで、同様の符号が同様のエレメントを表す。
【０００８】
【図１】図１は、ＰＯＮの一実施形態の概略図である。
【図２】図２は、ＯＮＵ起動段階における波長管理のための情報交換の方法の一実施形態のプロトコル図である。
【図３】図３は、ＯＮＵ波長及び波長同調性レポート物理層保守運用管理（ｐｈｙｓｉｃａｌ  ｌａｙｅｒ  ｏｐｅｒａｔｉｏｎｓ，  ａｄｍｉｎｉｓｔｒａｔｉｏｎ，  ａｎｄ  ｍａｎａｇｅｍｅｎｔ、ＰＬＯＡＭ）メッセージの一実施形態の概略図である。
【図４】図４は、Ｓｅｒｉａｌ＿Ｎｕｍｂｅｒ＿ＯＮＵ  ＰＬＯＡＭメッセージの一実施形態の概略図である。
【図５】図５は、波長割当ＰＬＯＡＭメッセージの一実施形態の概略図である。
【図６】図６は、Ａｓｓｉｇｎ＿ＯＮＵ−ｉｄｅｎｔｉｆｉｅｒ（ｉｄｅｎｔｉｆｉｅｒ、ＩＤ）ＰＬＯＡＭメッセージの一実施形態の概略図である。
【図７】図７は、波長応答ＰＬＯＡＭメッセージの一実施形態の概略図である。
【図８】図８は、Ｒｅｇｉｓｔｒａｔｉｏｎ  ＰＬＯＡＭメッセージの一実施形態の概略図である。
【図９】図９は、Ａｃｋｎｏｗｌｅｄｇｅ  ＰＬＯＡＭメッセージの一実施形態の概略図である。
【図１０】図１０は、ＯＮＵ起動段階における波長管理のための情報交換の方法の別の実施形態のプロトコル図である。
【図１１】図１１は、ＯＵＮ運用段階における波長能力要求及びレポートのための情報交換の方法の一実施形態のプロトコル図である。
【図１２】図１２は、波長要求ＰＬＯＡＭメッセージの一実施形態の概略図である。
【図１３】図１３は、Ｒｅｑｕｅｓｔ＿Ｒｅｇｉｓｔｒａｔｉｏｎ  ＰＬＯＡＭメッセージの一実施形態の概略図である。
【図１４】図１４は、波長能力要求及びレポートのための管理エンティティ（ｍａｎａｇｅｍｅｎｔ  ｅｎｔｉｔｙ、ＭＥ）属性の一実施形態の概略図である。
【図１５】図１５は、ＯＮＵ運用段階における波長変更のための情報交換の方法の一実施形態のプロトコル図である。
【図１６】図１６は、波長変更コマンドのためのＭＥ属性の一実施形態の概略図である。
【図１７】図１７は、ＰＯＮ管理方法を実施するように構成されている装置の一実施形態の概略図である。
【図１８】図１８は、汎用コンピュータシステムの一実施形態の概略図である。
【発明を実施するための形態】
【０００９】
１つ以上の実施形態の例示的実施が以下に提供されるが、開示されたシステム及び／又は方法は、現在までに既知であるか又は存在しているかにかかわらず、いくつもの技術を使用して実施されてもよいことが最初に理解されるべきである。本開示は、本明細書に例示、記載された典型的な設計及び実施を含めて、例示的実施、図面、及び、以下に例示される技術に決して限定されるべきではなく、請求項の範囲内及び請求項の均等物の全範囲内で修正されてもよい。
【００１０】
約１０Ｇｂｐｓより高いビットレートをサポートし得る種々のＰＯＮシステムが、次世代ＰＯＮ（ＮＧＰＯＮ）システム（ＮＧＰＯＮステージ２又はＮＧＰＯＮ２と称されることもある）のため提案されている。これらのシステムの幾つかは、複数の波長（又は波長チャネル）を使用して複数台のＯＮＵのためのデータを送信及び／又は受信する多波長ＰＯＮシステムであり得る。多波長システムは、波長積層構造ＧＰＯＮ及び１０ギガビットＰＯＮ（ＸＧＰＯＮ）システム（ＸＧＰＯＮステージ１又はＸＧＰＯＮ１と称されることもある）と、スプリッタベース又はアレイ導波路回折格子（ＡＷＧ）ベースの波長分割多重化（ＷＤＭ）−ＰＯＮシステムと、動的スペクトル管理（ＤＳＭ）−ＰＯＮシステムと、コヒーレント−ＰＯＮシステムと、直交周波数分割多重化（ＯＦＤＭ）−ＰＯＮシステムとを含み得る。
【００１１】
より高いアクセスレートを提供するために、多波長が上記システムで利用され得る。多波長を使用すると、例えば、低密度ＷＤＭ（ＣＷＤＭ）又は高密度ＷＤＭ（ＤＷＤＭ）アーキテクチャ及びスキームを使用して、波長領域における時間領域多重化（ＴＤＭ）ＰＯＮの能力を高め得る。ＷＤＭ−ＰＯＮシステムでは、ＯＮＵは、種々の波長を介してネットワークに接続され得る。これは、ＯＮＵ又はＯＬＴにおける波長同調性、ＡＷＧによるスライス波長、コヒーレント信号の生成及び検出、インジェクションロッキング、又はその他のスキームを使用して可能にされ得る。波長同調性は、ＯＮＵの同調性波長範囲を表現し得る。ＤＳＭ−ＰＯＮシステムでは、レガシーＧＰＯＮ又はＸＧＰＯＮ  ＯＮＵは、ＯＮＵの使用波長チャネルに基づいてＯＬＴによりサブグループ化され、システム能力は、ＯＬＴにおけるインテリジェント・スーパーＭＡＣ機能により高められ得る。コヒーレントＰＯＮシステムは、コヒーレント信号処理に基づき得る。ＯＦＤＭ−ＰＯＮシステムは、多重搬送波変調に依拠し得る。
【００１２】
アプリケーションシナリオに依存して、ＮＧＰＯＮシステムの実装は、上記システムのハイブリッドでもよい。例えば、コヒーレント−ＷＤＭ−ＰＯＮ、ＷＤＭ−ＴＤＭ−ＰＯＮ、ＯＦＤＭ−ＷＤＭ−ＴＤＭ−ＰＯＮは、ＮＧＰＯＮを実現するために使用され得るシステムの一部である。この傾向は、既存のＴＤＭ−ＰＯＮ（ＧＰＯＮ又はＸＧＰＯＮ）帯域幅の更なる増強を表し、例えば、増強により、ＮＧＰＯＮシステムがより離れた距離にあるより多数のＯＮＵのために機能することが可能となる。ＧＰＯＮ及びＸＧＰＯＮシステムからＮＧＰＯＮシステムへのこのような増強は、例えば、多波長をサポートする適切な管理機構の点で、ＧＰＯＮ及びＸＧＰＯＮの既存のプロトコルに対する挑戦となることがある。多波長能力をサポートするためのプロトコル変更又は改良は、例えば、ＴＤＭ／ＴＤＭアクセス（ＴＤＭＡ）管理のためのＧＰＯＮ及びＸＧＰＯＮ伝送コンバージェンス（ＴＣ）層プロトコルへの変更を含み得る。
【００１３】
本明細書に開示されているのは、多波長ＰＯＮシステムにおける波長管理のためのシステム及び方法である。これらのシステムは、ＯＮＵ起動及び正常運用中のＯＮＵの波長チャネルを管理するための機構を含む。これらの方法は、波長管理のための情報交換を備え得る。波長管理機構は、ＸＧＰＯＮ  ＴＣ層及び他のＰＯＮプロトコルのため実装され得る。波長管理情報は、ＰＬＯＡＭメッセージ等のＭＡＣ層フレームを介して交換され得る。
【００１４】
図１は、ＰＯＮ  １００の一実施形態を示す。ＰＯＮ  １００は、ＯＬＴ  １１０と、複数台のＯＮＵ  １２０と、ＯＤＮ  １３０とを備え、このＯＤＮ  １３０は、ＯＬＴ  １１０及びＯＮＵ  １２０に連結され得る。ＰＯＮ  １００は、ＯＬＴ  １１０とＯＮＵ  １２０との間でデータを分配させるためにアクティブなコンポーネントを必要としない通信ネットワークであり得る。その代わり、ＰＯＮ  １００は、ＯＬＴ  １１０とＯＮＵ  １２０との間でデータを分配させるために、ＯＤＮ  １３０内でパッシブ光コンポーネントを使用し得る。ＰＯＮ  １００は、約１０Ｇｂｐｓのダウンストリーム帯域幅と少なくとも約２．５Ｇｂｐｓのアップストリーム帯域幅とを有し得るＸＧＰＯＮ等のＮＧＡシステムであり得る。適切なＰＯＮ  １００の他の例は、国際電気通信連合電気通信標準化部門（Ｉｎｔｅｒｎａｔｉｏｎａｌ  Ｔｅｌｅｃｏｍｍｕｎｉｃａｔｉｏｎ  Ｕｎｉｏｎ  Ｔｅｌｅｃｏｍｍｕｎｉｃａｔｉｏｎ  Ｓｔａｎｄａｒｄｉｚａｔｉｏｎ  Ｓｅｃｔｉｏｎ、ＩＴＵ−Ｔ）Ｇ．９８３標準により規定された非同期転送モードＰＯＮ（ａｓｙｎｃｈｒｏｎｏｕｓ  ｔｒａｎｓｆｅｒ  ｍｏｄｅ  ＰＯＮ、ＡＰＯＮ）及びブロードバンドＰＯＮ（ｂｒｏａｄｂａｎｄ  ＰＯＮ、ＢＰＯＮ）と、ＩＴＵ−Ｔ  Ｇ．９８４標準により規定されたＧＰＯＮと、米国電気電子学会（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ、ＩＥＥＥ）８０２．３ａｈ標準により規定されたＥＰＯＮと、ＩＥＥＥ  ８０２．３ａｖ標準に記載されるような１０ＧＥＰＯＮと、波長分割多重化（Ｗａｖｅｌｅｎｇｔｈ  Ｄｉｖｉｓｉｏｎａｌ  Ｍｕｌｔｉｐｌｅｘｅｄ）ＷＤＭ−ＰＯＮとを含む。更に、ＰＯＮ  １００は、多波長能力も有し、複数のダウンストリーム及び／又はアップストリーム波長（又は波長チャネル）が、例えば、種々のＯＮＵ  １２０又は加入者のため、データを搬送するために使用され得る。その結果、ＰＯＮプロトコルは、前述の多波長技術／システムのいずれかをサポートするように構成され得る。
【００１５】
ＯＬＴ  １１０は、ＯＮＵ  １２０及び別のネットワーク（図示せず）と通信するように構成されているいずれの装置であり得る。ＯＬＴ  １１０は、その他のネットワークとＯＮＵ  １２０との間の中間手段としての役割を果たし得る。例えば、ＯＬＴ  １１０は、ネットワークから受信されたデータをＯＮＵ  １２０へ転送し、ＯＮＵ  １２０から受信されたデータを別のネットワークへ転送し得る。ＯＬＴ  １１０の具体的な構成は、ＰＯＮ  １００のタイプに依存して変化し得るが、一実施形態では、ＯＬＴ  １１０は、送信機と受信機とを備え得る。別のネットワークが、ＰＯＮ  １００で使用されるＰＯＮプロトコルと異なるＥｔｈｅｒｎｅｔ（登録商標）又は同期光ネットワーキング（Ｓｙｎｃｈｒｏｎｏｕｓ  Ｏｐｔｉｃａｌ  Ｎｅｔｗｏｒｋｉｎｇ、ＳＯＮＥＴ）／同期デジタルハイアラーキ（Ｓｙｎｃｈｒｏｎｏｕｓ  Ｄｉｇｉｔａｌ  Ｈｉｅｒａｒｃｈｙ、ＳＤＨ）等のネットワークプロトコルを使用しているとき、ＯＬＴ  １１０は、ネットワークプロトコルをＰＯＮプロトコルに変換するコンバータを備え得る。ＯＬＴ  １１０のコンバータは、ＰＯＮプロトコルをネットワークプロトコルに更に変換し得る。ＯＬＴ  １１０は、典型的に、電話局等の中心のロケーションに位置していてもよいが、他のロケーションに位置していてもよい。
【００１６】
ＯＮＵ  １２０は、ＯＬＴ  １１０及び加入者又はユーザ（図示せず）と通信するように構成されているどのような装置でもよい。ＯＮＵ  １２０は、ＯＬＴ  １１０と加入者との間で中間手段としての機能を果たし得る。例えば、ＯＮＵ  １２０は、ＯＬＴ  １１０から受信されたデータを加入者へ転送し、加入者から受信されたデータをＯＬＴ  １１０へ転送し得る。ＯＮＵ  １２０の具体的な構成は、ＰＯＮ  １００のタイプに依存して変化し得るが、一実施形態では、ＯＮＵ  １２０は、光信号をＯＬＴ  １１０に送信するように構成されている光送信機と、ＯＬＴ  １１０から光信号を受信するように構成されている光受信機とを備え得る。異なるＯＮＵ  １２０にある送信機及び受信機は、データを搬送する光信号を送受信するために異なる波長を使用し得る。同じＯＮＵ  １２０にある送信機及び受信機は、同じ波長又は異なる波長を使用し得る。付加的に、ＯＮＵ  １２０は、加入者のために光信号をＥｔｈｅｒｎｅｔプロトコル中の信号等の電気信号に変換するコンバータと、電気信号を加入者装置に送信及び／又は受信し得る第２の送信機及び／又は受信機とを備えてもよい。一部の実施形態では、ＯＮＵ  １２０と光ネットワーク端末装置（ＯＮＴ）は類似しているので、これらの用語は、本明細書において区別しないで使われる。ＯＮＵは、典型的に、加入者宅内等の分散したロケーションに位置していてもよく、他のロケーションに位置していてもよい。
【００１７】
ＯＤＮ  １３０は、光ファイバケーブル、カプラ、スプリッタ、分配器及び／又はその他の機器を備え得るデータ分配システムであり得る。光ファイバケーブル、カップラ、スプリッタ、分配器、及び／又はその他の機器は、ＯＬＴ  １１０とＯＮＵ  １２０との間でデータ信号を分配させるために電力を必要とすることがないパッシブ光コンポーネントであり得る。代替的に、ＯＤＮ  １３０は、光増幅器等の１台又は複数台の処理機器を備えてもよい。ＯＤＮ  １３０は、典型的に、図１に示されるように分枝構成でＯＬＴ  １１０からＯＮＵ  １２０まで延びてもよいが、代替的に他の何らかのポイント・ツー・マルチ・ポイント構成で構成されてもよい。
【００１８】
多波長能力をサポートするために、ＰＯＮ  １００は、例えば、ＯＤＮ  １３０及び／又はＯＬＴ  １１０にある１台以上のＡＷＧを備え得る。このＡＷＧは、アップストリーム／ダウンストリーム方向に、異なる波長で送信される光信号である、複数の波長チャネルを合成／分割するように構成され得る。ＰＯＮ  １００は、ＯＬＴ  １１０とＯＮＵ  １２０のいずれかとの間で波長管理情報を交換するために波長管理のための１つ以上の方法を実施するように構成され得る。ＯＬＴ  １１０とＯＮＵ  １３０との間で交換される情報は、波長割当情報を更に含み得る。これらの方法は、ＯＮＵの起動段階中に（例えば、ＯＮＵ  １２０がＯＬＴ  １１０に登録するときに）又はＯＮＵの運用中に（例えば、登録又は起動後に）情報交換を可能にし得る。
【００１９】
図２は、ＯＮＵ起動段階における波長管理のための情報交換の方法２００の一実施形態を示す。起動プロセスは、非アクティブＯＮＵ（例えば、ＯＮＵ  １２０）がＰＯＮ（例えば、ＰＯＮ  １００）上の運用（ｏｐｅｒａｔｉｏｎ）に参加することを可能にし得る。ＯＮＵ起動は、バースト・プロファイル又はオーバーヘッド・ラーニング、シリアルナンバー割当、及びレンジング（送信のため時間窓を割当てる）等の手順を含み得る。方法２００は、ＰＯＮが多波長をサポートすること、例えば、ＯＬＴ（例えば、ＯＬＴ  １１０）が多波長を介して複数台のＯＮＵと通信することを可能にし得る。多波長をサポートするために、ＯＮＵ波長及び波長同調性特性は、ＯＬＴに報告され得る。波長割当決定を行った後、ＯＬＴは、ＯＮＵに（複数の）現在波長を維持するか、又は、（複数の）目標波長に同調するかのいずれかを指令し得る。ステップ２０１で、ＯＮＵは、ＯＮＵ波長及び波長同調性レポートメッセージをＯＬＴに送信し得る。ステップ２０２で、ＯＬＴは、（ＯＮＵの（複数の）波長を維持又は変更するために）波長割当コマンドをＯＮＵに送信し得る。ステップ２０３で、ＯＮＵは、ＯＮＵ応答をＯＬＴに返信し得る。
【００２０】
ＯＮＵは、１つ又は２つの使用（ｗｏｒｋｉｎｇ）波長を有し得る。２つの使用波長の場合、波長の一方は、ＯＬＴからＯＮＵへのダウンストリーム伝送に対応し、もう一方の波長は、ＯＮＵからＯＬＴへのアップストリーム伝送に対応し得る。起動プロセスでは、非アクティブＯＮＵの使用波長は、例えば、ＯＮＵの送信機／受信機（送受信機）設計及びＰＯＮプロトコル仕様に依存して、波長のランダムなペア又は波長の初期設定ペアであり得る。バースト・プロファイルを学習した後、ＯＮＵは、このＯＮＵの現在の構成波長及び波長同調性をＯＬＴに報告し得る。
【００２１】
一実施形態では、上記の（ステップ２０１での）ＯＮＵ波長及び同調性レポートメッセージは、新しいＰＬＯＡＭメッセージを用いて、又は、この情報を搬送するために現在使用中のＰＬＯＡＭメッセージを修正することにより送信され得る。図３は、ＯＮＵからＯＬＴにこの情報を搬送するために使用され得るＯＮＵ波長及び波長同調性レポートＰＬＯＡＭメッセージ３００の一実施形態を示す。メッセージ３００は、ＯＬＴからのシリアルナンバー付与への応答の一部分として、非アクティブＯＮＵによってＯＬＴに送信され得る。代替的に、メッセージ３００は、ＯＬＴからＡｓｓｉｇｎ＿ＯＮＵ−ＩＤ  ＰＬＯＡＭメッセージを受信した後、ＯＮＵにより送信され得る。
【００２２】
ＯＮＵ波長及び波長同調性レポートＰＬＯＡＭメッセージ３００は、ＸＧＰＯＮ及びＧＰＯＮプロトコルのための新しいＰＬＯＡＭメッセージであり得る。ＰＬＯＡＭメッセージ３００は、約９フィールドを備え、これらのフィールドは、約４８オクテットの全サイズを有し得る。これらのフィールド及び対応するサイズが図３に表される（ｗ、ｘ、ｙ及びｚは整数である）。メッセージ３００内のＯＮＵ波長及び波長同調性情報は、未割当又は割当済みのＯＮＵ−ＩＤ（オクテット１から２）、メッセージタイプＩＤ（オクテット３）、シーケンスナンバー（オクテット４）、ＯＮＵ  Ｔｘ波長（オクテット５からｗ）、ＯＮＵ  Ｒｘ波長（オクテットｗ＋１からｘ）、ＯＮＵ  Ｔｘ同調性（オクテットｚ＋１からｙ）、ＯＮＵ  Ｒｘ同調性（オクテットｙ＋１からｚ）、予約済み又はパディングビット（オクテットｚ＋１から４０）、及び、メッセージ完全性検査フィールド（オクテット４１から４８）を含み得る。
【００２３】
図４は、ＯＮＵからＯＬＴにＯＮＵ波長及び波長同調性情報を搬送するために使用され得るＳｅｒｉａｌ＿Ｎｕｍｂｅｒ＿ＯＮＵ  ＰＬＯＡＭメッセージ４００の一実施形態を示す。メッセージ４００は、ＧＰＯＮプロトコルのための修正されたＳｅｒｉａｌ＿Ｎｕｍｂｅｒ＿ＯＮＵ  ＰＬＯＡＭメッセージであり得る。Ｓｅｒｉａｌ＿Ｎｕｍｂｅｒ＿ＯＮＵ  ＰＬＯＡＭメッセージ４００は、約１２フィールドを備え、これらのフィールドは、約４８オクテットの全サイズを有し得る。図４に表されたＳｅｒｉａｌ＿Ｎｕｍｂｅｒ＿ＯＮＵ  ＰＬＯＡＭメッセージ４００のフィールドは、ＧＰＯＮプロトコルに規定されているように構成され得る。しかし、フィールド又はビットの一部は、ＯＮＵ波長及び波長同調性情報を交換するために修正され得る。具体的には、オクテット１７からｗ（ｗは整数）内のビットは、ＯＮＵ  Ｔｘ波長を指示するため使用され、オクテットｗ＋１からｘ（ｘは整数）内のビットは、ＯＮＵ  Ｒｘ波長を指示するために使用され、オクテットｘ＋１からｙ（ｙは整数）内のビットは、ＯＮＵ  Ｔｘ同調性を指示するため使用され、オクテットｙ＋１からｚ（ｚは整数）内のビットは、ＯＮＵ  Ｒｘ同調性を指示するため使用され得る。
【００２４】
（ステップ２０１で）ＯＮＵレポートを受信した後、ＯＬＴは、対応するＯＮＵのための波長割当決定を行い得る。新しいＯＮＵの波長割当を決定する関連性のある要因は、ＰＯＮシステムの全体的な波長能力と、ＯＮＵの波長同調性と、ＯＮＵ間のネットワークトラフィック負荷と、同調コスト及び同調時間と、及び／又はその他の関連性のあるネットワーク条件とを含み得る。ＯＬＴは、その後、（ステップ２０２で）波長割当コマンドをＯＮＵに送信し得る。波長割当コマンドは、新しいＰＬＯＡＭメッセージ又は修正された既存のＰＬＯＡＭメッセージを用いて送信され得る。
【００２５】
図５は、ＯＬＴからＯＮＵに波長割当情報を搬送するために使用され得る波長割当ＰＬＯＡＭメッセージ５００の一実施形態を示す。波長割当ＰＬＯＡＭメッセージ５００は、ＸＧＰＯＮ及びＧＰＯＮプロトコルのための新しいＰＬＯＡＭメッセージであり得る。メッセージ５００は、Ａｓｓｉｇｎ＿ＯＮＵ−ＩＤ  ＰＬＯＡＭを送信した後、ＯＬＴから非アクティブＯＮＵに送信され得る。しかし、ＯＮＵの使用波長がＯＬＴにより割当てられた波長と整合する場合、波長割当ＰＬＯＡＭメッセージ５００を送信する必要性がない。
【００２６】
波長割当ＰＬＯＡＭメッセージ５００は、約７フィールドを備え、これらのフィールドは、約４８オクテットの全サイズを有し得る。フィールド及び対応するサイズは、図５に表されている（ａ及びｂは整数である）。メッセージ５００内の波長割当情報は、割当済みのＯＮＵ−ＩＤ（オクテット１から２）と、メッセージタイプＩＤ（オクテット３）と、シーケンスナンバー（オクテット４）と、ＯＮＵ  Ｔｘ波長（オクテット５からａ）と、ＯＮＵ受信機Ｒｘ波長（オクテットａ＋１からｂ）と、予約済み又はパディングビット（オクテットｂ＋１から４０）と、メッセージ完全性検査フィールド（オクテット４１から４８）とを含み得る。
【００２７】
図６は、ＯＬＴからＯＮＵに波長割当情報を搬送するために使用され得るＡｓｓｉｇｎ＿ＯＮＵ−ＩＤ  ＰＬＯＡＭメッセージ６００の一実施形態を示す。メッセージ６００は、ＧＰＯＮプロトコルのための修正されたＡｓｓｉｇｎ＿ＯＮＵ−ＩＤ  ＰＬＯＡＭメッセージであり得る。Ａｓｓｉｇｎ＿ＯＮＵ−ＩＤ  ＰＬＯＡＭメッセージ６００は、約１０フィールドを備え、これらのフィールドは、約４８オクテットの全サイズを有し得る。図６に表されたＡｓｓｉｇｎ＿ＯＮＵ−ＩＤ  ＰＬＯＡＭメッセージ６００のフィールドは、ＧＰＯＮプロトコルに規定されるように構成され得る。しかし、フィールド又はビットの一部は、波長割当情報を交換するために修正され得る。具体的には、オクテット１５からａ（ａは整数である）内のビットは、ＯＮＵ  Ｔｘ波長を指示するため使用され、オクテットａ＋１からｂ（ｂは整数である）内のビットは、ＯＮＵ  Ｒｘ波長を指示するため使用され得る。
【００２８】
ＯＮＵは、ＯＬＴから送信された割当てられた波長がＯＮＵの使用（又は現在構成されている）波長と異なる場合、ＯＬＴから割当てられた波長に整合するようにこのＯＮＵの波長を同調し得る。同調プロセスの後、ＯＮＵの送受信機は、割当てられた波長を用いて構成され、ＯＮＵは、（ステップ２０３で）応答をＯＬＴに返信し得る。この応答は、ＯＮＵから（例えば、ＯＬＴの波長割当に応じて）同調された波長を指示し得る。この応答は、新しいＰＬＯＡＭメッセージ又は修正された既存のＰＬＯＡＭメッセージであり得る。
【００２９】
図７は、割当てられた波長への同調後に、ＯＮＵにより送信され得る波長応答ＰＬＯＡＭメッセージ７００の一実施形態を示す。波長応答ＰＬＯＡＭメッセージ７００は、約７フィールドを備え、これらのフィールドは、約４８オクテットの全サイズを有し得る。フィールド及び対応するサイズは、図７に表されている（ａ及びｂは整数である）。メッセージ７００内の情報は、割当済みのＯＮＵ−ＩＤ（オクテット１から２）と、メッセージタイプＩＤ（オクテット３）と、シーケンスナンバー（オクテット４）と、ＯＮＵＴｘ波長（オクテット５からａ）と、ＯＮＵ  Ｒｘ波長（オクテットａ＋１からｂ）と、予約済み又はパディング（オクテットｂ＋１から４０）と、メッセージ完全性検査フィールド（オクテット４１から４８）とを含み得る。
【００３０】
図８は、ＯＮＵからＯＬＴへ同調された波長を指示するためにも使用され得るＲｅｇｉｓｔｒａｔｉｏｎ  ＰＬＯＡＭメッセージ８００の一実施形態を示す。メッセージ８００は、ＧＰＯＮプロトコルのための修正されたＲｅｇｉｓｔｒａｔｉｏｎ  ＰＬＯＡＭメッセージであり得る。Ｒｅｇｉｓｔｒａｔｉｏｎ  ＰＬＯＡＭメッセージ８００は、約７フィールドを備え、これらのフィールドは、約４８オクテットの全サイズを有し得る。図８に表されたＲｅｇｉｓｔｒａｔｉｏｎ  ＰＬＯＡＭメッセージ８００のフィールドは、ＧＰＯＮプロトコルに規定されるように構成され得る。しかし、フィールド又はビットの一部は、波長情報を交換するために修正され得る。具体的には、オクテットａ＋１からｂ（ａ及びｂは整数である）内のビットは、ＯＮＵ  Ｔｘ波長を指示するため使用され、オクテットｂ＋１から４０内のビットは、ＯＮＵ  Ｒｘ波長を指示するため使用され得る。
【００３１】
図９は、ＯＮＵからＯＬＴに同調された波長を指示するために使用され得るＡｃｋｎｏｗｌｅｄｇｅ  ＰＬＯＡＭメッセージ９００の一実施形態を示す。メッセージ９００は、ＧＰＯＮプロトコルのための修正されたＡｃｋｎｏｗｌｅｄｇｅ  ＰＬＯＡＭメッセージであり得る。Ａｃｋｎｏｗｌｅｄｇｅ  ＰＬＯＡＭメッセージ９００は、約８フィールドを備え、これらのフィールドは、約４８オクテットの全サイズを有し得る。図９に表されたＡｃｋｎｏｗｌｅｄｇｅ  ＰＬＯＡＭメッセージのフィールドは、ＧＰＯＮプロトコルに規定されるように構成され得る。しかし、フィールド又はビットの一部は、波長情報を交換するために修正され得る。具体的には、オクテット６からａ（ａは整数である）内のビットは、ＯＮＵ  Ｔｘ波長を指示するため使用され、オクテットａ＋１からｂ（ｂは整数である）内のビットは、ＯＮＵ  Ｒｘ波長を指示するため使用され得る。
【００３２】
（ステップ２０３で）ＯＬＴに返信されるＯＮＵ応答は、ＯＮＵが完全な波長同調性付きで可能にされた場合、（例えば、ＯＮＵ起動プロセス中に）所望により設けてもよい。部分的な波長同調性をサポートする場合、ＯＮＵ応答は、ＯＮＵが使用できる実際の波長を通知するために使用され得る。指示された波長は、同調性が制限されているＯＮＵによるベストエフォートでもよく、且つ、ＯＬＴにより割当てられた波長に整合しても、又は、整合しなくてもよい。
【００３３】
図１０は、ＯＮＵ起動段階における波長管理のための情報交換の別の方法１０００の一実施形態を示す。この方法１０００を使用して、ＯＬＴは、波長要求をＯＮＵに送信することにより、ＯＮＵに対する波長管理のためＯＮＵとの通信を開始し得る。ステップ１００１で、ＯＬＴは、ＯＮＵに対する波長及び同調性情報を問い合わせるための波長要求をＯＮＵに送信し得る。ステップ１００２で、ＯＮＵは、ＯＮＵ波長及び同調性レポートメッセージをＯＬＴに送信し得る。ステップ１００３で、ＯＬＴは、（ＯＮＵの（複数の）波長を維持又は変更するために）波長割当コマンドをＯＮＵに送信し得る。ステップ１００４で、ＯＮＵは、ＯＮＵ応答をＯＬＴに返信し得る。方法１０００における種々のメッセージは、メッセージ２００における対応するメッセージと同様に構成され得る。
【００３４】
ＯＮＵの通常又は正常の運用中に、例えば、ＯＮＵの起動後に、ＯＬＴは、ＯＮＵにこのＯＮＵの（複数の）波長を変更することを要求し得る。ＯＮＵの波長を変更又は再同調する一つの理由は、利用可能な波長間でＰＯＮトラフィックをバランスさせることであり得る。例えば、ＷＤＭ−ＴＤＭハイブリッド型ＰＯＮシステムでは、ＯＮＵは、同調送受信機を装備し得る。一部の波長が重く負荷をかけられ、他の波長が（比較的）軽く負荷をかけられるか又はアイドル状態である場合、ＯＮＵの一部を重く負荷をかけられた波長から他の波長に再同調することは、有利であり得る。
【００３５】
図１１は、波長管理サポートするためにＯＮＵ運用段階における波長能力要求及びレポートのための情報交換の方法１１００の一実施形態を示す。ＯＮＵの正常運用中に、ＯＬＴは、所望により、波長要求をＯＮＵに送信してもよい。ＯＮＵは、返答として、このＯＮＵの使用波長及び同調性をＯＬＴに報告し得る。この情報交換に基づいて、ＯＬＴは、ＯＮＵ使用波長を確認し得る。このような情報は、ＯＬＴが波長再同調決定を行うために更に役立つ。ステップ１１０１で、ＯＬＴは、例えば、ＯＮＵの使用波長及び同調性について照会するために波長要求をＯＮＵに送信し得る。ステップ１１０２で、ＯＮＵは、ＯＮＵ波長及び同調性レポートをＯＬＴに返信し得る。
【００３６】
方法１１００の波長能力要求及びレポート情報は、ＰＬＯＡＭメッセージを使用して、又は、ＯＮＴ管理制御インターフェース（ＯＮＴ  ｍａｎａｇｅｍｅｎｔ  ａｎｄ  ｃｏｎｔｒｏｌ  ｉｎｔｅｒｆａｃｅ、ＯＭＣＩ）チャネルを介して交換され得る。例えば、（ステップ１１０２における）ＯＮＵレポートメッセージは、ＯＮＵ波長及び波長同調性レポートＰＬＯＡＭメッセージ３００又はＳｅｒｉａｌ＿Ｎｕｍｂｅｒ＿ＯＮＵ  ＰＬＯＡＭメッセージ４００と同様に構成されたＰＬＯＡＭメッセージであり得る。
【００３７】
図１２は、（ステップ１１０１における）ＯＮＵに（複数の）使用波長及び同調性を要求するために使用され得る波長要求ＰＬＯＡＭメッセージ１２００の一実施形態を示す。波長要求ＰＬＯＡＭメッセージ１２００は、ＸＧＰＯＮ及びＧＰＯＮプロトコルのための新しいＰＬＯＡＭメッセージであり得る。メッセージ１２００は、運用中に、例えば、ＯＮＵの起動後に、ＯＬＴからアクティブＯＮＵに送信され得る。波長要求ＰＬＯＡＭメッセージ１２００は、約５フィールドを備え、これらのフィールドは、約４８オクテットの全サイズを有し得る。フィールド及び対応するサイズは、図１２に表されている。メッセージ１２００内のフィールドは、割当済みのＯＮＵ−ＩＤ（オクテット１から２）と、メッセージタイプＩＤ（オクテット３）と、シーケンスナンバー（オクテット４）と、予約済み又はパディングビット（オクテット５から４０）と、メッセージ完全性検査フィールド（オクテット４１から４８）とを含み得る。メッセージタイプＩＤは、波長要求メッセージを指示する値を有し得る。
【００３８】
図１３は、（ステップ１１０１で）ＯＮＵに使用波長及び同調性を要求するために使用され得るＲｅｑｕｅｓｔ＿Ｒｅｇｉｓｔｒａｉｏｎ  ＰＬＯＡＭメッセージ１３００の一実施形態を示す。メッセージ１３００は、ＧＰＯＮプロトコルのための修正されたＲｅｑｕｅｓｔ＿Ｒｅｇｉｓｔｒａｉｏｎ  ＰＬＯＡＭメッセージであり得る。Ｒｅｑｕｅｓｔ＿Ｒｅｇｉｓｔｒａｉｏｎ  ＰＬＯＡＭメッセージ１３００は、約１１フィールドを備え、これらのフィールドは、約４８オクテットの全サイズを有し得る。図１３に表されたＲｅｑｕｅｓｔ＿Ｒｅｇｉｓｔｒａｉｏｎ  ＰＬＯＡＭメッセージ１３００のフィールドは、ＧＰＯＮプロトコルに規定されているように構成され得る。しかし、フィールド又はビットの一部は、波長要求メッセージを指示するために修正され得る。具体的には、オクテット１５から５（ａは整数である）内のビットは、メッセージが波長情報要求を目的としていることを指示するために使用され得る。方法１１００で使用されるメッセージ１２及び１３は、上記方法１０００で使用され得る。
【００３９】
図１４は、波長能力要求及びレポートのための複数の管理エンティティ（ＭＥ）属性１４００の一実施形態の概略図である。ＭＥ属性１４００は、ＯＭＣＩチャネルを介して方法１１００で波長情報を交換するために使用され得るＯＭＣＩ  ＭＥ属性であり得る。属性及びこれらの説明は、図１４に表されている。ＭＥ属性１４００は、ＯＮＵのための使用アップストリーム周波数と、ＯＮＵのための使用ダウンストリーム周波数と、ＯＮＵのための使用可能な（ｗｏｒｋａｂｌｅ）アップストリーム周波数と、ＯＮＵのための使用可能なダウンストリーム周波数とを指示し得る。使用アップストリーム周波数属性は、例えば、ギガヘルツ（ＧＨｚ）で、（ＯＬＴへデータを送信するため）ＯＮＵの現在アップストリーム信号周波数を指定し得る。この属性は、リード／ライト（Ｒ、Ｗ）属性でもよく、所望により、送信されてもよく、約４バイトのサイズを有し得る。使用ダウンストリーム周波数属性は、例えば、ＧＨｚで、（ＯＬＴからデータを受信するため）ＯＮＵの現在ダウンストリーム信号周波数を指定し得る。この属性は、リード／ライト属性でもよく、所望により、送信されてもよく、約４バイトのサイズを有し得る。使用可能なアップストリーム周波数属性は、例えば、ＧＨｚで、ＯＮＵの利用可能な（又は同調可能な）アップストリーム信号周波数を指定し得る。使用可能なダウンストリーム周波数属性は、例えば、ＧＨｚで、（ＯＬＴからの伝送のため）ＯＮＵの利用可能な（又は同調可能な）ダウンストリーム信号周波数を指定し得る。他の実施形態では、波長能力要求及びレポートのためのＭＥ属性１４００は、（例えば、ヘルツでの）周波数値ではなく、（例えば、ナノメートルで）波長値、又は、波長ＩＤ等のその他の値を指示し得る。
【００４０】
ＯＮＵ運用中に、ＯＬＴは、対応するＯＮＵとの通信チャネル（例えば、波長チャネル）を変更又はシフトすることを決定し得る。ＯＬＴがチャネルを異なる（複数の）波長にシフトすることに決定するとき、ＯＬＴは、波長変更コマンドを送信することにより、割当てられた新しい（複数の）波長をＯＮＵに指示し得る。したがって、ＯＮＵは、その（複数の）波長を、ＯＬＴのコマンドにより指示された（複数の）目標波長に変換し得る。ＯＮＵの送受信機を同調した後、ＯＮＵは、波長変更又は再同調の完了を確認するために応答を送信し得る。
【００４１】
図１５は、波長管理をサポートするためにＯＮＵ運用段階における波長変更のための情報交換の方法１５００の一実施形態を示す。ステップ１５０１で、ＯＬＴは、例えば、ＯＬＴによる通信チャネルのシフトに整合するようにＯＮＵの使用波長の変更を要求するために、波長変更コマンドをＯＮＵに送信し得る。ステップ１５０２で、ＯＮＵは、例えば、ＯＮＵの（複数の）波長の変更を承認するために、又は、別の指示をするために、ＯＮＵ応答を返送し得る。
【００４２】
ＯＮＵが新しい（複数の）波長に同調する場合、レンジング時間（例えば、送信時間窓）は、ＯＮＵの最初のレンジング時間と異なり得る。典型的に、時間窓のドリフトの許容閾値は、この問題を克服するために十分であり得る。ＯＮＵ応答は、（例えば、ＯＬＴからの全ての要求された波長を網羅するために）ＯＮＵが完全な同調性付きで可能にされた場合、所望により設けられてもよい。部分的な波長同調性をサポートする場合、（ステップ１５０２における）ＯＮＵ応答は、ＯＮＵが到達又は使用できる実際の波長をＯＬＴに通知するため使用され得る。これらの指示された波長は、同調性が制限されているＯＮＵによるベストエフォートであり得る。
【００４３】
方法１５００における波長変更のための波長情報は、ＰＬＯＡＭメッセージを使用して、又は、ＯＭＣＩチャネルを介して交換され得る。例えば、（ステップ１５０１における）ＯＬＴ波長変更コマンドのためのＰＬＯＡＭメッセージは、波長割当ＰＬＯＡＭメッセージ５００又は修正されたＡｓｓｉｇｎ＿ＯＮＵ−ＩＤ  ＰＬＯＡＭメッセージ６００に類似のＰＬＯＡＭメッセージを用いて送信され得る。（ステップ１５０２における）ＯＮＵ応答のためのＰＬＯＡＭメッセージは、波長応答ＰＬＯＡＭメッセージ７００又は修正されたＲｅｇｉｓｔｒａｔｉｏｎ  ＰＬＯＡＭメッセージ８００に類似のＰＬＯＡＭメッセージを用いて送信され得る。
【００４４】
図１６は、波長変更コマンド又は要求のための複数のＭＥ属性１６００の一実施形態の概略図である。ＭＥ属性１６００は、ＯＭＣＩチャネルを介して方法１５００において波長情報を交換するために使用され得るＯＭＣＩ  ＭＥ属性であり得る。属性及びこれらの説明は、図１６に表されている。ＭＥ属性１６００は、ＯＮＵのための目標アップストリーム周波数（又は波長）と、ＯＮＵのための目標ダウンストリーム周波数（又は波長）とを指示し得る。目標アップストリーム周波数（又は波長）属性は、例えば、ＧＨｚで、ＯＮＵにより送信された、変換されたアップストリーム信号の周波数（又は波長）を指定し得る。この属性は、リード／ライト（Ｒ、Ｗ）属性であり、所望により、送信されてもよく、約４バイトのサイズを有し得る。目標ダウンストリーム周波数（又は波長）属性は、例えば、ＧＨｚで、ＯＮＵにより受信された、変換されたダウンストリーム信号の周波数（又は波長）を指定し得る。この属性は、リード／ライト（Ｒ、Ｗ）属性であり、所望により、送信されることがあり、約４バイトのサイズを有し得る。
【００４５】
図１７は、上記波長管理方法をサポート又は実施するように構成され得る装置１７００の一実施形態を示す。この装置１７００は、方法２００、１０００、１１００、１５００又はこれらの組み合わせを実施又はサポートするように構成され得る処理ユニット１７１０、送信ユニット（又は送信機）１７２０、及び受信ユニット（又は受信機）１７３０を備え得る。この装置１７００は、ＯＬＴに位置し、ＯＬＴに対応する方法の一部分を実施し得る。代替的に、この装置１７００は、ＯＮＵに位置し、ＯＮＵに対応する方法の一部分を実施してもよい。処理ユニット１７１０、送信ユニット１７２０、及び受信ユニット１７３０は、ハードウェア、ファームウェア、及び／又は、ハードウェアを動かすためにインストールされたソフトウェアに対応し得る。処理ユニット１７１０は、実施される波長管理方法に応じて上記波長管理メッセージ（例えば、ＰＬＯＡＭメッセージ及び／又はＯＭＣＩ属性）を処理するように構成され得る。送信ユニット又は送信機１７２０は、関連付けられたメッセージ又はフレームを（例えば、ＭＡＣ層で）送信するように構成され、受信ユニット又は受信機１７３０は、関連付けられたメッセージ又はフレームを受信するように構成され得る。
【００４６】
前述のコンポーネント及び方法は、課された必要な仕事負荷を取り扱うために十分な処理能力、メモリリソース、及びネットワークスループット能力を備えた、コンピュータ、又はネットワークコンポーネント等のどんな汎用ネットワークコンポーネントを（ＯＬＴ又はＯＮＵで）使用して実施されてもよい。図１８は、本明細書に開示されたコンポーネント及び方法の１つ以上の実施形態を実施するために適している典型的な汎用ネットワークコンポーネント１８００を示す。ネットワークコンポーネント１８００は、二次記憶装置１８０４を含むメモリ装置、リード・オンリー・メモリ（ＲＯＭ）１８０６、ランダム・アクセス・メモリ（ＲＡＭ）１８０８、入力／出力（Ｉ／Ｏ）装置１８１０、及びネットワークコネクティビティ装置１８１２と通信している（中央処理ユニット又はＣＰＵと称されることもある）プロセッサ１８０２を含み得る。プロセッサ１８０２は、１台以上のＣＰＵチップとして実装されてもよく、又は、１つ以上の特定用途向け集積回路（ＡＳＩＣ）の一部でもよい。
【００４７】
二次記憶装置１８０４は、典型的に、１台以上のディスクドライブ又はテープドライブを備え、データの不揮発性記憶のため使用され、また、ＲＡＭ  １８０８が全ての作業データを保持するために十分に大きくない場合、オーバーフロー・データ記憶装置として使用される。二次記憶装置１８０４は、プログラムが実行のため選択されたとき、ＲＡＭ  １８０８に取り込まれるそのようなプログラムを記憶するために使用され得る。ＲＯＭ  １８０６は、プログラム実行中に読み取られる命令、及び、おそらくはデータを記憶するために使用される。ＲＯＭ  １８０６は、典型的に、二次記憶装置１８０４のより大規模なメモリ容量と相対的に小規模なメモリ容量を有している不揮発性メモリ装置である。ＲＡＭ  １８０８は、揮発性データを記憶するために、また、おそらくは、命令を記憶するために使用される。ＲＯＭ  １８０６及びＲＡＭ  １８０８へのアクセスは両方共に、典型的に、二次記憶装置１８０４へのアクセスより高速である。
【００４８】
少なくとも１つの実施形態が開示され、当業者によりなされる（複数の）実施形態及び／又は（複数の）実施形態の特徴の変形、組み合わせ、及び／又は変更は、本開示の範囲に含まれる。（複数の）実施形態の特徴の組み合わせ、統合、及び／又は省略によって生じる代替的な複数の実施形態は、同様に本開示の範囲に含まれる。数値範囲又は限定が明示されているが、このような明確な範囲又は限定は、明示された範囲又は限定の範囲に入る同様の大きさの反復的な範囲又は限定を包含するように理解されるべきである（例えば、約１から約１０までは、２、３、４等を含み、０．１０より大きいとは、０．１１、０．１２、０．１３等を含む）。例えば、下限Ｒｌ及び上限Ｒｕをもつ数値範囲が開示されるときはいつでも、この範囲に入るどんな数でも具体的に開示されている。詳しくは、範囲に含まれる以下の数：Ｒ＝Ｒｌ＋ｋ＊（Ｒｕ−Ｒｌ）が具体的に開示され、ここで、ｋは、１パーセントの増分で１パーセントから１００パーセントまで変化する変数であり、すなわち、ｋは、１パーセント、２パーセント、３パーセント、４パーセント、７パーセント、・・・、７０パーセント、７１パーセント、７２パーセント、・・・、９７パーセント、９６パーセント、９７パーセント、９８パーセント、９９パーセント、又は１００パーセントである。更に、上記定義のように２つのＲ数により定義された数値範囲が同様に具体的に開示されている。請求項のいずれかの要素に関する用語「所望により（ｏｐｔｉｏｎａｌｌｙ）」の使用は、この要素が必須であるか、又は、代替的に、この要素が必須ではなく、両方の選択肢が請求項の範囲に含まれることを意味する。〜を備える（ｃｏｍｐｒｉｓｅ）、〜を含む（ｉｎｃｌｕｄｅ）、及び、〜を有している（ｈａｖｉｎｇ）等のより広義の用語の使用は、〜からなる（ｃｏｎｓｉｓｔｉｎｇ  ｏｆ）、本質的に〜からなる（ｃｏｎｓｉｓｔｉｎｇ  ｅｓｓｅｎｔｉａｌｌｙ  ｏｆ）、実質的に〜で構成される（ｃｏｍｐｒｉｓｅｄ  ｓｕｂｓｔａｎｔｉａｌｌｙ  ｏｆ）等のより狭義の用語をサポートするように理解されるべきである。その結果、保護の範囲は、上記説明により限定されることなく、請求項により定義され、この範囲は、請求項の主題の全ての均等物を含むものである。１つ１つの請求項は、さらなる開示として本明細書に組み込まれ、請求項群は、本開示の（複数の）実施形態である。本開示における文献の検討は、この参考文献が先行技術、特に、公開日が本願の優先日より後である文献であるとの自認ではない。本開示で引用された全ての特許、特許出願、及び刊行物の本開示は、本開示についての補足となる典型的な、手続き的な、又は、その他の詳細を提供する程度まで、参照によりここに組み込まれる。
【００４９】
いくつかの実施形態が本開示において提供されているが、開示されたシステム及び方法は、本発明の趣旨又は範囲から逸脱することなく、数多くの他の具体的な形式で具現化されるものであることが理解されるべきである。本例は、限定でなく例示として解釈されるべきであり、意図は本明細書に与えられた詳細に限定されるべきではない。例えば、様々な要素又はコンポーネントは、別のシステムにおいて組み合わされてもよく、若しくは、統合されてもよく、又は、ある種の特徴は、省略されてもよく、若しくは、実装されなくてもよい。
【００５０】
更に、様々な実施形態において個別又は別個のものとして記載、例示された技術、システム、サブシステム、及び方法は、本開示の範囲から逸脱することなく、他のシステム、モジュール、技術、又は方法と組み合わされてもよく、又は、統合されてもよい。互いに連結、直接的に連結、又は、通信するものとして表されるか、又は、検討されたその他のものは、電気的、機械的、又は、その他の方式にかかわらず、何らかのインターフェース、装置、又は、中間コンポーネントを介して、間接的に連結されるか、又は、通信することがある。変更、置換、及び代替のその他の例は、当業者により確かめられ、本明細書に開示された趣旨及び範囲から逸脱することなく行われ得るであろう。
【００５１】
関連出願の相互参照
本願は、Ｙｕａｎｑｉｕ  Ｌｕｏ等により２０１１年４月８日付けで出願された「Ｗａｖｅｌｅｎｇｔｈ  Ｍａｎａｇｅｍｅｎｔ  ｉｎ  Ｍｕｌｔｉｐｌｅ−Ｗａｖｅｌｅｎｇｔｈ  Ｐａｓｓｉｖｅ  Ｏｐｔｉｃａｌ  Ｎｅｔｗｏｒｋｓ」と題する米国仮特許出願第６１／４７３，４２２号の優先権を主張し、また、Ｙｕａｎｑｉｕ  Ｌｕｏ外により２０１２年４月５日付けで出願された「Ｗａｖｅｌｅｎｇｔｈ  Ｍａｎａｇｅｍｅｎｔ  ｉｎ  Ｍｕｌｔｉｐｌｅ−Ｗａｖｅｌｅｎｇｔｈ  Ｐａｓｓｉｖｅ  Ｏｐｔｉｃａｌ  Ｎｅｔｗｏｒｋｓ」と題する米国特許出願公開第１３／４４０８４２号の優先権を主張し、これらの出願は、参照によりこれらがそのまま再現されているかのように本明細書に組み込まれる。
【図１】
2014515221.tif 000003
【図２】
2014515221.tif 000004
【図３】
2014515221.tif 000005
【図４】
2014515221.tif 000006
【図５】
2014515221.tif 000007
【図６】
2014515221.tif 000008
【図７】
2014515221.tif 000009
【図８】
2014515221.tif 000010
【図９】
2014515221.tif 000011
【図１０】
2014515221.tif 000012
【図１１】
2014515221.tif 000013
【図１２】
2014515221.tif 000014
【図１３】
2014515221.tif 000015
【図１４】
2014515221.tif 000016
【図１５】
2014515221.tif 000017
【図１６】
2014515221.tif 000018
【図１７】
2014515221.tif 000019
【図１８】
2014515221.tif 000020
【手続補正書】
【提出日】平成25年11月1日(2013.11.1)
【手続補正１】
【補正対象書類名】明細書
【補正対象項目名】００５１
【補正方法】削除
【補正の内容】
【手続補正２】
【補正対象書類名】特許請求の範囲
【補正対象項目名】全文
【補正方法】変更
【補正の内容】
【特許請求の範囲】
【請求項１】
パッシブ光ネットワーク（ＰＯＮ）において波長管理をサポートするシステムであって、
波長同調能力に基づいて光ネットワークユニット（ＯＮＵ）通信のための波長割当を送信するように構成されている光回線終端装置（ＯＬＴ）と、
前記ＯＬＴに連結され、前記波長同調能力を前記ＯＬＴに送信するように構成されているＯＮＵと、
を備え、
前記波長割当及び前記波長同調能力は、媒体アクセス制御（ＭＡＣ）メッセージで送信される、
システム。
【請求項２】
前記波長割当は、前記ＯＮＵの現在の使用波長に基づいて波長を前記ＯＮＵに割当てるために交換される、
請求項１に記載のシステム。
【請求項３】
前記ＯＮＵは、前記波長同調能力を用いて第２の波長同調能力を前記ＯＬＴに送信するように更に構成され、
前記ＯＬＴは、前記第２の波長同調能力に基づいて前記波長割当を用いてＯＮＵ通信のための第２の波長割当を前記ＯＮＵに送信するように更に構成されている、
請求項１に記載のシステム。
【請求項４】
前記波長割当は、前記ＯＮＵの第１の現在の使用波長に基づいて前記ＯＬＴから前記ＯＮＵへのダウンストリーム伝送のための波長を割当てるために交換され、
前記第２の波長割当は、前記ＯＮＵの第２の現在の使用波長に基づいて前記ＯＮＵから前記ＯＬＴへのアップストリーム伝送のための第２の波長を割当てるために交換される、
請求項３に記載のシステム。
【請求項５】
前記波長割当及び前記波長同調能力は、物理層保守運用管理（ＰＬＯＡＭ）メッセージを用いて前記ＯＬＴと前記ＯＮＵとの間で交換される、
請求項１に記載のシステム。
【請求項６】
前記波長割当及び前記波長同調能力は、ＯＮＵ管理制御インターフェース（ＯＭＣＩ）チャネルの複数の管理エンティティ（ＭＥ）属性を用いて交換される、
請求項１に記載のシステム。
【請求項７】
前記ＯＭＣＩチャネルの前記ＭＥ属性は、使用アップストリーム波長、使用ダウンストリーム波長、使用可能なアップストリーム波長、及び使用可能なダウンストリーム波長を指示する、
請求項６に記載のシステム。
【請求項８】
波長管理をサポートする光回線終端装置（ＯＬＴ）の装置であって、
光ネットワークユニット（ＯＮＵ）に連結し、前記ＯＮＵの波長同調性に基づいて前記ＯＮＵとの伝送のための波長割当を交換するように構成されている１台以上のコンポーネントを備え、
前記波長割当及び前記波長同調性が、媒体アクセス制御（ＭＡＣ）層フレームを用いて交換される、
装置。
【請求項９】
前記波長割当は、前記ＯＮＵからの転送された波長同調性レポートに基づいて波長を前記ＯＮＵに割当てるために、前記ＯＮＵの起動段階中に交換される、
請求項８に記載の装置。
【請求項１０】
前記波長割当及び前記波長同調性は、波長割当のため前記ＯＮＵからの要求に応じて前記ＯＮＵの起動段階中に交換される、
請求項８に記載の装置。
【請求項１１】
前記波長割当及び前記波長同調性は、前記ＯＮＵから波長及び同調性情報を取得するために、前記ＯＬＴからの要求に応じて前記ＯＮＵの運用段階中に交換される、
請求項８に記載の装置。
【請求項１２】
前記波長割当は、前記ＯＮＵのための使用波長を変更するために、前記ＯＮＵの運用段階中に交換される、
請求項８に記載の装置。
【請求項１３】
パッシブ光ネットワーク（ＰＯＮ）のための波長管理をサポートするために光回線終端装置（ＯＬＴ）で実施される方法であって、
受信機を使用して、光ネットワークユニット（ＯＮＵ）から、ＯＮＵ送信機波長、ＯＮＵ受信機波長、ＯＮＵ送信機同調性、及びＯＮＵ受信機同調性を備える波長及び同調性レポートを受信することと、
送信機を使用して、割当てられたＯＮＵ送信機波長及び割当てられたＯＮＵ受信機波長を指示する波長割当コマンドを前記ＯＮＵに送信することと、
を備える、方法。
【請求項１４】
前記波長及び同調性レポートは、前記ＯＮＵ送信機波長、前記ＯＮＵ受信機波長、前記ＯＮＵ送信機同調性、及び前記ＯＮＵ受信機同調性を備える新しい専用保守運用管理（ＰＬＯＡＭ）メッセージで送信される、
請求項１３に記載の方法。
【請求項１５】
前記波長及び同調性レポートは、前記ＯＮＵ送信機波長、前記ＯＮＵ受信機波長、前記ＯＮＵ送信機同調性、及び前記ＯＮＵ受信機同調性を備える修正されたＳｅｒｉａｌ＿Ｎｕｍｂｅｒ＿ＯＮＵ保守運用管理（ＰＬＯＡＭ）メッセージで送信される、
請求項１３に記載の方法。
【請求項１６】
前記波長割当コマンドは、前記割当てられたＯＮＵ送信機波長及び前記割当てられたＯＮＵ受信機波長を備える新しい専用保守運用管理（ＰＬＯＡＭ）メッセージで送信される、
請求項１３に記載の方法。
【請求項１７】
前記波長割当コマンドは、前記割当てられたＯＮＵ送信機波長及び前記割当てられたＯＮＵ受信機波長を備える修正されたＡｓｓｉｇｎ＿ＯＮＵ−ＩＤ保守運用管理（ＰＬＯＡＭ）メッセージで送信される、
請求項１３に記載の方法。
【請求項１８】
前記波長割当コマンドを送信した後、前記ＯＮＵから、保守運用管理（ＰＬＯＡＭ）メッセージで送信された応答を受信することを更に備える、
請求項１３に記載の方法。
【請求項１９】
前記ＰＬＯＡＭメッセージは、前記割当てられたＯＮＵ送信機波長及び前記割当てられたＯＮＵ受信機波長を指示する修正されたＲｅｇｉｓｔｒａｔｉｏｎ  ＰＬＯＡＭメッセージである、
請求項１８に記載の方法。
【請求項２０】
前記ＰＬＯＡＭメッセージは、前記割当てられたＯＮＵ送信機波長及び前記割当てられたＯＮＵ受信機波長を指示する修正されたＡｃｋｎｏｗｌｅｄｇｅ  ＰＬＯＡＭメッセージである、
請求項１８に記載の方法。
【請求項２１】
前記波長及び同調性レポートを受信する前に、保守運用管理（ＰＬＯＡＭ）メッセージで送信された波長要求を前記ＯＮＵに送信することを更に備える、
請求項１３に記載の方法。
【請求項２２】
前記ＰＬＯＡＭメッセージは、波長要求を指示するメッセージタイプ識別子（ＩＤ）を備える新しい専用ＰＬＯＡＭメッセージである、
請求項２１に記載の方法。
【請求項２３】
前記ＰＬＯＡＭメッセージは、波長要求指示を含む修正されたＲｅｑｕｅｓｔ＿Ｒｅｇｉｓｔｒａｉｏｎメッセージである、
請求項２１に記載の方法。
【請求項２４】
第２の割当てられたＯＮＵ送信機波長及び第２の割当てられたＯＮＵ受信機波長を指示する波長変更コマンドを前記ＯＮＵに送信することと、
現在のＯＮＵ送信機波長及び現在のＯＮＵ受信機波長を指示する応答を受信することと、
を更に備える、請求項１３に記載の方法。
【請求項２５】
前記波長変更コマンドは、目標アップストリーム波長及び目標ダウンストリーム波長を指示するＯＮＵ管理制御インターフェース（ＯＭＣＩ）チャネルの複数の管理エンティティ（ＭＥ）属性を用いて送信される、
請求項２４に記載の方法。
【国際調査報告】
2014515221.tif 000021
2014515221.tif 000022
2014515221.tif 000023
2014515221.tif 000024